(57)【特許請求の範囲】
【請求項１】
刈取部Ａに左右の上部搬送装置５Ｌ・５Ｒと下部搬送装置４Ｌ・４Ｒを有するコンバインにおいて、右側の上部搬送装置５Ｒを、右側の下部搬送装置４Ｒの後端の手前位置にて前後方向に２分割し、その前上部搬送装置５Ｒａを後上部搬送装置５Ｒｂの上方に配設し、
該後上部搬送装置５Ｒｂは、後部に設けた上部搬送駆動軸５ｂの端部に固設されたスプロケット５Ｒｂ2 を介して駆動され、
前記前上部搬送装置５Ｒａは、後部に設けた駆動軸５ａの上端に軸止されたスプロケット１７を介して駆動される構成とし、
該前上部搬送装置５Ｒａの後部は、後上部搬送装置５Ｒｂの前部の上方位置に配設され、該後上部搬送装置５Ｒｂの前方部に、上下方向に円状の開口部５Ｒｂ1 を開設し、該開口部５Ｒｂ1 に前上部搬送装置５Ｒａを駆動する駆動軸５ａを、貫通通過状態で配置したことを特徴とするコンバインの上部搬送装置。
【発明の詳細な説明】
【０００１】
【発明の属する技術分野】
本発明は、コンバインの上部搬送装置の構成に関する。
【０００２】
【従来の技術】
従来のコンバインの刈取部は、引き起し装置で引き起こした穀稈を掻込装置によって掻き込み、株元を刈刃によって切断し、穂先は上部搬送装置によって、株元は下部搬送装置と縦搬送装置によって脱穀装置へ搬送していた。
この上部搬送装置の搬送ケースは一体物で構成されていた。
【０００３】
【発明が解決しようとする課題】
しかし、上記のような従来の構成において、前記右側上部搬送装置の搬送ケースを一体物で構成すると、刈取部の前部から後部まで位置するので大きくかつ長くなり、タインの非作用側と運転席のラップ代が大きくなり、刈取部と運転席との距離が詰められなく、全長が長くなってしまう。
また、左側の上部搬送装置と掻込みベルトとの間にこの右側上部搬送装置の搬送ケースが存在するので、左側上部搬送装置の作用位置が低くなって、左側上部搬送装置５Ｌを前方に突出させると前が見難く、性能上不利であるという不具合があった。
【０００４】
【課題を解決するための手段】
本発明の解決しようとする課題は以上の如くであり、次にこの課題を解決する  めの手段を説明する。
刈取部Ａに左右の上部搬送装置５Ｌ・５Ｒと下部搬送装置４Ｌ・４Ｒを有するコンバインにおいて、右側の上部搬送装置５Ｒを、右側の下部搬送装置４Ｒの後端の手前位置にて前後方向に２分割し、その前上部搬送装置５Ｒａを後上部搬送装置５Ｒｂの上方に配設し、該後上部搬送装置５Ｒｂは、後部に設けた上部搬送駆動軸５ｂの端部に固設されたスプロケット５Ｒｂ2 を介して駆動され、前記前上部搬送装置５Ｒａは、後部に設けた駆動軸５ａの上端に軸止されたスプロケット１７を介して駆動される構成とし、該前上部搬送装置５Ｒａの後部は、後上部搬送装置５Ｒｂの前部の上方位置に配設され、該後上部搬送装置５Ｒｂの前方部に、上下方向に円状の開口部５Ｒｂ1 を開設し、該開口部５Ｒｂ1 に前上部搬送装置５Ｒａを駆動する駆動軸５ａを貫通通過状態で配置したものである。
【０００５】
【発明の実施の形態】
次に、発明の実施の形態を説明する。
図１は、コンバインの全体側面図、
図２は、刈取部の側面図、
図３は、同じく平面図、
図４は、本発明のコンバインの上部搬送装置の平面略図、
図５は、同じく後面略図、
図６は、補助搬送装置の平面図、
図７は、本実施例のコンバインの引起こし装置の平面断面図、
図８は、同じく引起こし装置の縁まわりの側面断面図、
図９は、同じく端部の側面断面図である。
【０００６】
まず、図１にてコンバインの全体構成の概略を説明する。
クローラ式走行装置Ｇ上にフレームＦを取り付け、その上は、機体左右の片側が脱穀部Ｂ及び選別部Ｃ、もう片側が運転席Ｄ及びグレンタンクＥが載置されている。
刈取部Ａは、脱穀部Ｂの前部で、機体の最前部に位置されており、穀稈搬送装置は、刈取部Ａにて、脱穀部Ｂのフィードチェーン９に向けて配設されているものである。なお、脱穀部Ｂの１０は扱胴である。
【０００７】
刈取部Ａにおける搬送構造について、図２及び図３にて説明する。
本実施例におけるコンバインは６条刈であり、刈取部Ａの刈取部フレーム２０の最前部に分草板１９を取り付け、その後部に穀稈を立状態として取り入れるための引起こし装置１を立状に配設している。この引起こし装置１にて穀稈を引起こし、掻込みベルト２にて掻き込んで刈刃３にて穀稈根元を刈る。
この刈刃３にて刈り取った穀稈は、左側・右側の下部搬送装置４Ｌ・４Ｒにて株元を把持し、上部搬送装置５Ｌ・５Ｒにて穂先を把持し、平面視略「ハ」字型に構成された搬送装置から後部にて一か所に集めるよう構成している。
なお、上部搬送装置５Ｌは、図２に示す、刈取部駆動軸１１より、ベベルギヤを介して駆動される。上部搬送装置５Ｒの駆動については後述する。
【０００８】
また、中央部の下部搬送装置４Ｃ及び上部搬送装置５Ｃは、前記左側の下部搬送装置４Ｌ及び上部搬送装置５Ｌの後部で合流するように構成されている。そして、株元側を縦搬送装置７にて把持し、穂先は上部搬送装置５Ｒにて把持したまま、立状態の穀稈を水平状に傾倒して、補助搬送装置８を介して、脱穀部Ｂのフィードチェーン９へと受継ぐものである。
なお、縦搬送装置７は、搬送角度が調節可能で、この角度調節にてフィードチェーン９への穀稈把持位置を決定して扱深さ調節を行うのであるが、この扱深さを検知するために、補助搬送装置８の上方に扱深さ検出センサーＳを配設している。
【０００９】
なお、本実施例のコンバインの引起こし装置１の引起こしケースは、図７に示すように、この引起こしケースの駆動スプロケットと従動スプロケットの間でタインＴを案内する縁部１ａ、及び従動側ローラーが位置する端部１ｂに、ポリエチレンン等の超高分子樹脂からなるタインガイド２３及びタインガイド２４を脱着自在に配設して補強している。
この縁部１ａは、図８の如く、タインガイド２３が断面視略凹状に形設されて、断面視略Ｔ字型のタインＴの凸状の摺動部Ｔａを上下からこのタインガイド２３・２３の凹部２３ａ・２３ａにて挟持されるようにして摺動自在となるよう構成している。
また、前記端部１ｂについては、図９に示すように、断面視略Ｌ字型に上下に配設されたタインガイド２４・２４及び引起こし装置１の従動ローラー１ｃに、前記摺動部Ｔａが挟持されるようにガイドされている。また、本実施例では、前記上部搬送装置５Ｌ・５Ｃ・５Ｒの搬送ケース内にも超高分子樹脂により補強がされている。このように構成することにより、従来、引起こしケースの開口端縁を樹脂製の移送案内体で被覆する技術（実開平４ー３８２２５号公報）より、一層強くケースの補強ができ、また、ケース外周部に角型鋼材を固設して強度アップを図る技術もあったが、重量が重く、コストが高いという不具合があり、本実施例では、補強材料が樹脂なので、軽量であり、耐磨耗性もステンレスの約５倍であり、例え、磨耗しても脱着自在に配設しているので、交換可能で、前記不具合を解消できる。
【００１０】
次に、本発明のコンバインの上部搬送装置について説明する。
図４、図５に示すように、本実施例のコンバインの右側の上部搬送装置５Ｒは、図３の如く、穀稈が下部搬送装置４Ｒと合流する手前位置にて、前後方向に二つに分割されており、前上部搬送装置５Ｒａ及び後上部搬送装置５Ｒｂから構成されている。
そして、この前上部搬送装置５Ｒａの後部は、図５の如く、後上部搬送装置５Ｒｂの前部の上方位置に配設されている。また、後上部搬送装置５Ｒｂの前方部には上下方向に円状の開口部５Ｒｂ1 が開設されて、この開口部５Ｒｂ1 には、チェーンケース６から前上部搬送装置５Ｒａを駆動する駆動軸５ａが貫通するよう構成されている。
【００１１】
また、図２に示す、機体左右方向の刈取部の回動支点に設けた駆動軸１８から、図６に示すように、この駆動軸１８に軸止されたベベルギヤ１８ａと前記刈取部駆動軸１１に軸止されたベベルギヤ１１ａを介して、この刈取部駆動軸１１が駆動され、また、この刈取部駆動軸１１の中途部に軸止されたベベルギヤ１１ｂを介して一端にベベルギヤ２２ａが軸止された補助搬送伝動軸２２が駆動され、他端に軸止されたベベルギヤ２２ｂと補助搬送駆動軸８ａの端部に軸止されたベベルギヤ８ｂが噛合して、この補助搬送駆動軸８ａが駆動されて、前記補助搬送装置８が駆動され、この補助搬送駆動軸８ａに延設された、上部搬送駆動軸５ｂの端部に固設されたスプロケット５Ｒｂ2 を介して、前記後上部搬送装置５Ｒｂが駆動されるよう構成している。
【００１２】
そして、図４、図５に示すように、前記刈取部駆動軸１１を収納した伝動ケース中途部にギアケース６が付設され、刈取部駆動軸１１上に固設したベベルギヤ１２からギアケース６に軸支した下部搬送駆動軸４ａ上のベベルギア１３に動力が伝動される。この下部搬送駆動軸４ａの上端部にスプロケット２９が固設されて、下部搬送装置４Ｒが駆動され、下部搬送駆動軸４ａの基部側にはベベルギア３０が固設され、該ベベルギア３０より伝動軸やベベルギアを介して縦搬送装置７が駆動される。
そして、ギアケース６の中途部にチェーンケース６ａが側方へ膨出され、該チェーンケース６ａ内の下部搬送駆動軸４ａの中途部にスプロケット１４が固設され、チェーンケース６ａ他側に軸支した前記駆動軸５ａにスプロケット１５が固設され、該スプロケット１５と前記スプロケット１４の間にチェーン１６が巻回されて、動力がこのスプロケット１５に伝動され、駆動軸５ａが駆動されて、この駆動軸５ａに軸止されたスプロケット１７を介して、前上部搬送装置５Ｒａが駆動されるよう構成している。
【００１３】
【発明の効果】
本発明は、以上のように構成したので、次のような効果を奏するものである。
第１に、右側の上部搬送装置５Ｒを前後方向に２分割したことで、前上部搬送装置５Ｒａの後端と、後上部搬送装置５Ｒｂの後端を上下に重複配置したので、該重複した部分だけ、非作用側のタインＴの前方への突出スペースを小さくすることができ、刈取部Ａと運転席Ｄとの間隔を短くすることができ、刈取作業が行い易くなるのである。
第２に、左側の上部搬送装置の後端の位置に、従来の一体型の右側上部搬送装置の搬送ケースの後部が存在しなくなるので、左側上部搬送装置の作用位置を高くすることができ、タインの作用位置を従来より高くすることが出来たのである。
第３に、右側の上部搬送装置５Ｒの前上部搬送装置５Ｒａを前方に突出させることができるので、右側の刈取の取り込みが良好となって、また、全長を短くすることができ、更に、前方の視認性を向上させることが可能となった。
【図面の簡単な説明】
【図１】コンバインの全体側面図である。
【図２】刈取部の側面図である。
【図３】同じく平面図である。
【図４】本発明の上部搬送装置の平面略図である。
【図５】同じく後面略図である。
【図６】補助搬送装置の平面図である。
【図７】本実施例のコンバインの引起こし装置の平面断面図である。
【図８】同じく引起こし装置の縁まわりの側面断面図である。
【図９】同じく端部の側面断面図である。
【符号の説明】
Ａ  刈取部
Ｂ  脱穀部
Ｔ  タイン
１  引起こし装置
４  下部搬送装置
５ａ  駆動軸
５Ｌ  左側上部搬送装置
５Ｒ  右側上部搬送装置
５Ｒａ  前上部搬送装置
５Ｒｂ  後上部搬送装置
５Ｒｂ1   開口部
６  チェーンケース
７  縦搬送装置
８  補助搬送装置
１２・１３  ベベルギヤ
１４・１５  スプロケット
１６  チェーン
【図１】
0003580606.tif 000002
【図２】
0003580606.tif 000003
【図３】
0003580606.tif 000004
【図４】
0003580606.tif 000005
【図５】
0003580606.tif 000006
【図６】
0003580606.tif 000007
【図７】
0003580606.tif 000008
【図８】
0003580606.tif 000009
【図９】
0003580606.tif 000010